(57)【要約】【課題】キーボード、ポインティングデバイス等の外部入力機器を用いてコンピュータの制御とＩＰ電話端末と制御とを切り換え実行することができるようにしたＩＰ電話端末を提供する。【解決手段】ＩＰ電話端末１０に、キーボード２０およびマウス３０を接続するＵＳＢインタフェース端子１０ａ、１０ｂを設けるとともに、パーソナルコンピュータ４０を接続するＵＳＢインタフェース端子１０ｃを設け、キーボード２０およびマウス３０を用いて、パーソナルコンピュータ４０の制御とＩＰ電話端末１０の制御とを切り換え実行する。【選択図】  図１
2004357151.tif 000002
【特許請求の範囲】
【請求項１】
ネットワークに接続され、インターネットプロトコルを用いて相手先と通話するＩＰ電話端末において、
キーボード、ポインティングデバイス等の外部入力機器が接続される第１の端子と、
コンピュータが接続される第２の端子と、
前記第１の端子を介して前記外部入力機器から入力された入力信号を検出する入力検出手段と、
前記入力検出手段で検出された入力信号に基づき前記外部入力機器から入力された入力信号を前記第２の端子に出力して前記第２の端子に接続されたコンピュータに出力するか内部の制御に使用するかを切り換える切換スイッチと、
前記切換スイッチにより内部の制御に使用すると切り換えられた前記外部入力機器からの入力信号を内部で解釈可能な信号に変換する信号変換手段とを具備することを特徴とするＩＰ電話端末。
【請求項２】
前記外部入力機器は、
キーボードであり、
前記信号変換部は、
前記キーボードからの入力信号をキーパッドの入力信号に変換することを特徴とする請求項１記載のＩＰ電話端末。
【請求項３】
前記外部入力機器は、
ポインティングデバイスであり、
前記信号変換部は、
前記ポインティングデバイスの動きを検出する座標認証部と、
前記座標認証部で検出された前記ポインティングデバイスの動きに応じてタッチパネル上にポインタを表示するためのポインタ表示信号を形成するポインタ表示信号形成手段と、
前記ポインタ表示信号形成手段により形成されたポインタ表示信号に基づき前記タッチパネル上の所望の位置にポインタが表示されている状態で前記ポインティングデバイスの指示入力を受け付ける指示入力受付手段とを具備することを特徴とする請求項１記載のＩＰ電話端末。
【請求項４】
前記第１の端子および前記第２の端子は、
ユニバーサルシリアルバスインタフェース端子であることを特徴とする請求項１記載のＩＰ電話端末。
【発明の詳細な説明】
【０００１】
【発明の属する技術分野】
この発明は、ネットワークに接続され、インターネットプロトコルを用いて相手先と通話するＩＰ電話端末に関し、特に、キーボード、ポインティングデバイス等の外部入力機器を接続してコンピュータの制御とＩＰ電話端末と制御とを切り換え実行することができるようにしたＩＰ電話端末に関する。
【０００２】
【従来の技術】
最近のＩＰ電話端末の普及に伴い、ユーザのディスク上にコンピュータとＩＰ電話端末の両者が設置される場合が生じている。この場合、コンピュータは、このコンピュータに接続されたキーボードおよびマウス等のポインティングデバイスを用いて操作し、ＩＰ電話端末は、このＩＰ電話端末のキーパッドおよびタッチパネル等を用いて操作するというように機器それぞれに対応して使い分けなければならない。
【０００３】
しかし、コンピュータの操作中にＩＰ電話端末を使用したい場合も多くこの場合は、キーボードおよびマウス等に代えてＩＰ電話端末のキーパッドおよびタッチパネル等を用いなければならず、非常に面倒である。
【０００４】
また、ＩＰ電話端末のキーパッドおよびタッチパネル等は、機器設計上の制約から操作性に問題があり、特に、電話帳の入力や検索等においては、非常に手間がかかる。
【０００５】
しかしながら、そこで、特許文献１に示すように、コンピュータ内に電話機能を組み込んだ構成も考えられている。
【０００６】
【特許文献】
特開２００２−７７４３７号公報
【発明が解決しようとする課題】
しかし、上記特許文献１に示す装置は、構成が非常に複雑になり、また、コストも高くなるという問題があった。
【０００７】
そこで、この発明は、キーボード、ポインティングデバイス等の外部入力機器を用いてコンピュータの制御とＩＰ電話端末と制御とを切り換え実行することができるようにしたＩＰ電話端末を提供することを目的とする。
【０００８】
【課題を解決するための手段】
上記目的を達成するため請求項１の発明は、ネットワークに接続され、インターネットプロトコルを用いて相手先と通話するＩＰ電話端末において、キーボード、ポインティングデバイス等の外部入力機器が接続される第１の端子と、コンピュータが接続される第２の端子と、前記第１の端子を介して前記外部入力機器から入力された入力信号を検出する入力検出手段と、前記入力検出手段で検出された入力信号に基づき前記外部入力機器から入力された入力信号を前記第２の端子に出力して前記第２の端子に接続されたコンピュータに出力するか内部の制御に使用するかを切り換える切換スイッチと、前記切換スイッチにより内部の制御に使用すると切り換えられた前記外部入力機器からの入力信号を内部で解釈可能な信号に変換する信号変換手段とを具備することを特徴とする。
【０００９】
また、請求項２の発明は、請求項１の発明において、前記外部入力機器は、キーボードであり、前記信号変換部は、前記キーボードからの入力信号をキーパッドの入力信号に変換することを特徴とする。
【００１０】
また、請求項２の発明は、請求項１の発明において、前記外部入力機器は、ポインティングデバイスであり、前記信号変換部は、前記ポインティングデバイスの動きを検出する座標認証部と、前記座標認証部で検出された前記ポインティングデバイスの動きに応じてタッチパネル上にポインタを表示するためのポインタ表示信号を形成するポインタ表示信号形成手段と、前記ポインタ表示信号形成手段により形成されたポインタ表示信号に基づき前記タッチパネル上の所望の位置にポインタが表示されている状態で前記ポインティングデバイスの指示入力を受け付ける指示入力受付手段とを具備することを特徴とする。
【００１１】
また、請求項４の発明は、請求項１の発明において、前記第１の端子および前記第２の端子は、ユニバーサルシリアルバスインタフェース端子であることを特徴とする。
【００１２】
【発明の実施の形態】
以下、この発明に係わるＩＰ電話端末の実施の形態を添付図面を参照して詳細に説明する。
【００１３】
図１は、この発明に係わるＩＰ電話端末の一実施の形態を示すブロック図である。
【００１４】
図１において、この実施の形態のＩＰ電話端末１０は、ＵＳＢ（ユニバーサルシリアルバス）インタフェース端子１０ａ、１０ｂ、１０ｃを設けることにより、このＩＰ電話端末１０に接続されたキーボード２０およびポインティングデバイスであるマウス３０を用いて、このＩＰ電話端末１０に接続されたパーソナルコンピュータ４０の制御を可能にするとともに、ＩＰ電話端末１０の制御を行うことができるようにしたものである。
【００１５】
すなわち、ＩＰ電話端末１０は、ネットワーク５０に接続され、インターネットプロトコル（ＩＰ）を用いて相手先と通話する機能を有するものであるが、このＩＰ電話端末１０には、ＵＳＢインタフェース端子１０ａ、１０ｂ、１０ｃが設けられ、ＵＳＢインタフェース端子１０ａには、キーボード２０が接続され、ＵＳＢインタフェース端子１０ｂには、マウス３０が接続され、ＵＳＢインタフェース端子１０ｃには、パーソナルコンピュータ４０が接続される。
【００１６】
ここで、キーボード２０およびマウス３０およびパーソナルコンピュータ４０は、ＩＰ電話端末１０のＵＳＢインタフェース端子１０ａ、１０ｂ、１０ｃにそれぞれ接続可能なＵＳＢインタフェースを有するものから構成される。
【００１７】
なお、図１において、パーソナルコンピュータ４０は、ネットワーク５０に接続されているが、ネットワーク５０に接続されずにスタンドアロンで動作するものでもよい。
【００１８】
さて、図１の構成において、通常は、キーボード２０およびマウス３０からの入力信号を、ＵＳＢインタフェース端子１０ａ、１０ｂ、ＩＰ電話端末１０本体、ＵＳＢインタフェース端子１０ｃを経由してパーソナルコンピュータ４０に出力し、これにより、キーボード２０およびマウス３０を用いたパーソナルコンピュータ４０の制御を可能にしている。
【００１９】
ここで、ＩＰ電話端末１０をキーボード２０およびマウス３０により制御したい場合は、例えば、キーボード２０から所定のコマンドを入力する。
【００２０】
このキーボード２０から入力された所定のコマンドは、ＩＰ電話端末１０で解釈され、それまで、ＵＳＢインタフェース端子１０ｃを経由してパーソナルコンピュータ４０に出力されていたキーボード２０およびマウス３０からの入力信号をＩＰ電話端末１０側に切り換える。
【００２１】
そして、ＩＰ電話端末１０では、このキーボード２０およびマウス３０からの入力信号をＩＰ電話端末１０で解釈できる信号に変換し、これにより、キーボード２０およびマウス１０ｂを用いたＩＰ電話端末１０の制御が可能になる。
【００２２】
なお、キーボード２０およびマウス３０を用いたＩＰ電話端末１０側の制御からパーソナルコンピュータ４０に復帰させるには、同様にキーボード２０から所定のコマンドを入力することにより、ＩＰ電話端末１０側の制御からパーソナルコンピュータ４０に復帰させることができる。
【００２３】
図２は、図１に示したＩＰ電話端末１０の内部構成を示すブロック図であり、図３は、このＩＰ電話端末１０の外観を示す図である。なお、図２においては、ＩＰ電話端末１０のこの発明に係わる部分のみを示し、通常の通話機能等に関する部分は省略している。
【００２４】
図３において、このＩＰ電話端末１０の下端には、キーボード２０およびマウス１０ｂを接続するＵＳＢインタフェース端子１０ａ、１０ｂが設けられ、また、上端には、パーソナルコンピュータ４０を接続するＵＳＢインタフェース端子１０ｃが設けられる。
【００２５】
また、このＩＰ電話端末１０は、その前面に通話に用いるハンドセットが載置され、また、電話番号等の入力に用いるキーパッド１０２および各種情報の表示、入力に用いるタッチパネル１０３が設けられている。ここで、タッチパネル１０３は、例えば、図示しないタッチペンを用いて情報の入力、選択等を行う。
【００２６】
さて、図２において、このＩＰ電話端末１０は、入力検出部１１、切換スイッチ１２、キーパッド操作信号変換部１３、座標認識部１４、ポインタ表示部１５を具備して構成される。
【００２７】
ここで、入力検出部１１は、キーボード２０が接続されるＵＳＢインタフェース端子１０ａおよびマウス３０が接続されるＵＳＢインタフェース端子１０ｂに内部バス１６を介して接続され、キーボード２０から入力されたコマンドを検出するものである。
【００２８】
また、切換スイッチ１２は、キーボード２０およびマウス３０からの入力信号をＵＳＢインタフェース端子１０ｃを経由してパーソナルコンピュータ４０に出力するか、ＩＰ電話端末１０の制御に用いるかを切り換えるものである。
【００２９】
また、キーパッド操作信号変換部１３は、キーボード２０から入力された入力信号をＩＰ電話端末１０の図３に示したキーパッド１０２の制御信号（キー押下信号等）に変換するものである。
【００３０】
また、座標認識部１４は、マウス３０からの入力信号をこのＩＰ電話端末１０の図３に示したタッチパネル１０３上の座標として認識するものであり、また、ポインタ表示部１５は、座標認識部１４で認識したＩＰ電話端末１０のタッチパネル１０３の座標にポインタを表示する制御を行うものである。
【００３１】
図２の構成において、キーボード２０およびマウス３０を用いてパーソナルコンピュータ４０を制御する場合は、キーボード２０およびマウス３０からの入力信号を、ＵＳＢインタフェース端子１０ａ、１０ｂ、内部バス１６、切換スイッチ１２、ＵＳＢインタフェース端子１０ｃを経由してパーソナルコンピュータ４０に出力し、これにより、キーボード２０およびマウス３０を用いたパーソナルコンピュータ４０の制御が行われる。
【００３２】
この状態でキーボード２０およびマウス３０によりＩＰ電話端末１０を制御する状態に切り換えるには、キーボード２０から所定のコマンドを入力する。この所定のコマンドの入力は、例えば、キーボード２０で「ＳＨＩＦＴ」＋「ＥＮＴＥＲ」等のキー操作を行うことにより行うことができる。
【００３３】
このキーボード２０から入力された所定のコマンドは、入力検出部１１で検出解釈され、これにより、入力検出部１１は、ＵＳＢインタフェース端子１０ｃを経由してパーソナルコンピュータ４０に出力されていたキーボード２０およびマウス１０ｂからの入力信号を遮断し、ＩＰ電話端末１０側、すなわち、キーパッド操作信号変換部１３、座標認識部１４、ポインタ表示部１５加えるように切り換える。
【００３４】
キーパッド操作信号変換部１３は、キーボード２０から入力された入力信号をＩＰ電話端末１０のキーパッド１０２の制御信号に変換し、これにより、キーボード２０を用いて、ＩＰ電話端末１０のキーパッド１０２の操作と同様の操作が可能になる。
【００３５】
また、座標認識部１４は、マウス３０からの入力信号をこのＩＰ電話端末１０のタッチパネル１０３上の座標として認識し、この認識したタッチパネル１０３上の座標にポインタをポインタ表示部１５により表示する。これにより、マウス３０を用いてタッチパネル１０３上の任意の位置にポインタを表示することができ、このポインタをタッチパネル１０３上の所望の位置に表示した状態でマウス３０をクリックすることにより、マウス３０を用いて、タッチペンと同様の操作を行うことが可能になる。
【００３６】
【発明の効果】
以上説明したようにこの発明によれば、ネットワークに接続され、インターネットプロトコルを用いて相手先と通話するＩＰ電話端末において、キーボード、ポインティングデバイス等の外部入力機器が接続される第１の端子と、コンピュータが接続される第２の端子と、前記第１の端子を介して前記外部入力機器から入力された入力信号を検出する入力検出手段と、前記入力検出手段で検出された入力信号に基づき前記外部入力機器から入力された入力信号を前記第２の端子に出力して前記第２の端子に接続されたコンピュータに出力するか内部の制御に使用するかを切り換える切換スイッチと、前記切換スイッチにより内部の制御に使用すると切り換えられた前記外部入力機器からの入力信号を内部で解釈可能な信号に変換する信号変換手段とを具備して構成したので、キーボード、ポインティングデバイス等の外部入力機器を用いてコンピュータの制御とＩＰ電話端末と制御とを切り換え実行することができ、これによりコンピュータのとＩＰ電話端末とを有効に操作、利用することが可能になるという効果を奏する。
【図面の簡単な説明】
【図１】この発明に係わるＩＰ電話端末の一実施の形態を示すブロック図である。
【図２】図１に示したＩＰ電話端末の内部構成を示すブロック図である。
【図３】図１に示したＩＰ電話端末の外観を示す図である。
【符号の説明】
１０    ＩＰ電話端末
１１    入力検出部
１２    切換スイッチ
１３    キーパッド操作信号変換部
１４    座標認識部
１５    ポインタ表示部
１６    内部バス
１０ａ、１０ｂ、１０ｃ    ＵＳＢインタフェース端子
２０    キーボード
３０    マウス（ポインティングデバイス）
４０    パーソナルコンピュータ
５０    ネットワーク
１０１    ハンドセット
１０２    キーパッド
１０３    タッチパネル
【図１】
2004357151.tif 000003
【図２】
2004357151.tif 000004
【図３】
2004357151.tif 000005